(57)【要約】【課題】合成樹脂製であるにも拘わらず、遊技球の流下態様に多様性がある遊技球流路を備えた遊技機を提供する。【解決手段】遊技球流路３０の背板部３１の表面に、複数の長円柱体４０Ａ〜４０Ｃや円柱体４２、４２・・を突設している。また、第３の緩衝体３７Ｃの下側で、且つ、第３の緩衝体３７Ｃに最も近い位置に正面視が遊技球Ｐの流下方向へ延びる長円状とされた第１の長円柱体４０Ａを立設している。したがって、遊技球流路３０が合成樹脂製であるにも拘わらず、遊技球Ｐの流下態様に多様性があり、遊技性が高い上、第１の長円柱体４０Ａを設けたことで、遊技球Ｐの流下態様の多様性を保ちつつ、遊技球Ｐの流下方向をある程度安定させることができる。【選択図】図４
2018061773.tif 000002
【特許請求の範囲】
【請求項１】
遊技球が流下可能な遊技領域内に、遊技球が通過可能な合成樹脂製の遊技球流路を設けた遊技機であって、
前記遊技球流路が、遊技球の流下方向に延びる背板部と、前記背板部から前方へ一体的に突設された複数の円柱体と、前記背板部から前方へ一体的に突設されているとともに、正面視が所定方向へ延びる長円状とされた複数の長円柱体とを有することを特徴とする遊技機。
【請求項２】
前記遊技球流路が、遊技球の前記遊技領域内への進入位置近傍に設けられた遊技機であって、
前記遊技球流路に、前記遊技領域内へ進入した遊技球が最初に衝突すると想定される複数の緩衝体が設けられているとともに、前記緩衝体のうち最も下流側に位置する特定緩衝体の更に下流側で、且つ、当該特定緩衝体に最も近い位置に、正面視が遊技球の流下方向へ延びる長円状とされた特定長円柱体が立設されていることを特徴とする請求項１に記載の遊技機。
【請求項３】
前記特定緩衝体の下流側で、且つ、前記遊技領域についての内外方向で外側となる位置に、前記内外方向で内側へ向かって突出する凸部を有する柱体が設けられていることを特徴とする請求項２に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機では、遊技領域内に多数の遊技釘が植設されており、遊技球の流下態様に多様性をもたせるようになっている。一方、近年では、遊技領域に、内部を遊技球が流下可能な合成樹脂製の遊技球流路を設けたパチンコ機も多々考案されている。そして、そのような遊技球流路内には遊技釘を植設できないため、流路の側壁から流路内側へ突起を突設し、遊技釘の代わりとしていた（たとえば特許文献１）。
【先行技術文献】
【特許文献】
【０００３】
【特許文献１】特開２０１４−１８３０６号公報
【発明の概要】
【発明が解決しようとする課題】
【０００４】
しかしながら、従来の合成樹脂製の遊技球流路内に設けられている突起は、遊技球流路の略全域にわたって一様であり、遊技球流路内を流下する遊技球の流下態様が単調になりやすいという問題がある。
【０００５】
そこで、本発明は、上記問題に鑑みなされたものであって、合成樹脂製であるにも拘わらず、遊技球の流下態様に多様性がある遊技球流路を備えた遊技機を提供しようとするものである。
【課題を解決するための手段】
【０００６】
上記目的を達成するために、本発明のうち請求項１に記載の発明は、遊技球が流下可能な遊技領域内に、遊技球が通過可能な合成樹脂製の遊技球流路を設けた遊技機であって、前記遊技球流路が、遊技球の流下方向に延びる背板部と、前記背板部から前方へ一体的に突設された複数の円柱体と、前記背板部から前方へ一体的に突設されているとともに、正面視が所定方向へ延びる長円状とされた複数の長円柱体とを有することを特徴とする。
請求項２に記載の発明は、請求項１に記載の発明において、前記遊技球流路が、遊技球の前記遊技領域内への進入位置近傍に設けられた遊技機であって、前記遊技球流路に、前記遊技領域内へ進入した遊技球が最初に衝突すると想定される複数の緩衝体が設けられているとともに、前記緩衝体のうち最も下流側に位置する特定緩衝体の更に下流側で、且つ、当該特定緩衝体に最も近い位置に、正面視が遊技球の流下方向へ延びる長円状とされた特定長円柱体が立設されていることを特徴とする。
請求項３に記載の発明は、請求項２に記載の発明において、前記特定緩衝体の下流側で、且つ、前記遊技領域についての内外方向で外側となる位置に、前記内外方向で内側へ向かって突出する凸部を有する柱体が設けられていることを特徴とする。
【発明の効果】
【０００７】
本発明によれば、合成樹脂製の遊技球流路に、遊技球の流下方向に延びる背板部と、背板部から前方へ一体的に突設された複数の円柱体と、背板部から前方へ一体的に突設されているとともに、正面視が所定方向へ延びる長円状とされた複数の長円柱体とを設けている。したがって、合成樹脂製の遊技球流路であるにも拘わらず、遊技球の流下態様に多様性があり、遊技性が高い。
また、請求項２に記載の発明によれば、遊技球の遊技領域内への進入位置近傍に設けられている遊技球流路に、遊技領域内へ進入した遊技球が最初に衝突すると想定される複数の緩衝体が設けられているとともに、緩衝体のうち最も下流側に位置する特定緩衝体の更に下流側で、且つ、当該特定緩衝体に最も近い位置に、正面視が遊技球の流下方向へ延びる長円状とされた特定長円柱体が立設されている。したがって、遊技球流路を設置するだけで緩衝体についても設置することができ、遊技機の組み立て作業が容易となるし、特定長円柱体によって、遊技球の流下態様の多様性を保ちつつ、遊技球の流下方向をある程度安定させることができるという効果を奏することができる。
さらに、請求項３に記載の発明によれば、特定緩衝体の下流側で、且つ、遊技領域についての内外方向で外側となる位置に、内外方向で内側へ向かって突出する凸部を有する柱体が設けられている。したがって、凸部を有する柱体により、遊技球の流下方向を一層安定させることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】遊技球流路を正面から示すとともに、遊技球流路における遊技球の流下態様を模式的に示した説明図である。
【図５】遊技球流路の正面側を示した斜視説明図である。
【図６】図４中のＬ−Ｌ線断面を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物等を備えたセンター部材２６が遊技盤２に設置されており、該センター部材２６の下方には、遊技球が入賞可能で、当該入賞を契機として演出用表示部６及び後述する特別図柄表示部８３で各種図柄が変動を開始する始動入賞口１９と、開閉可能な扉部材を有する大入賞装置１７とが設けられている。また、センター部材２６の左方から下方にかけては、遊技球が流下可能な左打ち用スペースＳＬが形成されており、左打ち用スペースＳＬを流下させることで、効率良く始動入賞口１９へ入賞させ得るようになっている。さらに、センター部材２６の左側部には、左打ち用スペースＳＬを流下させるべく遊技領域１６の上部空間へ打ち込まれた遊技球を、左打ち用スペースＳＬ側へ導くための合成樹脂製の遊技球流路３０が設けられている。
【００１２】
一方、センター部材２６の右方にも遊技球が流下可能な右打ち用スペースＳＲが形成されている。また、該右打ち用スペースＳＲには、入賞口（図示せず）と、入賞口を開閉する可動体（図示せず）とを有しており、可動体が開状態にあると遊技球が入賞口へ入賞可能となる入賞装置２０が設置されている。そして、遊技球を左打ち用スペースＳＬではなく右打ち用スペースＳＲを流下させることにより、入賞装置２０へ入賞させることができる。なお、左打ち用スペースＳＬや右打ち用スペースＳＲには、多数の遊技釘（図示せず）が植設されている。また、大入賞装置１７については、左打ち用スペースＳＬと右打ち用スペースＳＲとの何れを流下させたとしても効率良く入賞し得るようになっている。さらに、遊技領域１６外となる遊技盤２の右下部には、第１特別図柄及び第２特別図柄を夫々別個に表示可能とした特別図柄表示部８３が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは遊技球流路３０を介して左打ち用スペースＳＬへ流下させ（所謂左打ちを行って）、始動入賞口１９への遊技球の入賞を狙う。そして、始動入賞口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示される）。また、「大当たり図柄」が確定表示されると、大入賞装置１７を所定回数にわたって断続的に開成させるといった所謂「大当たり状態」が生起する。そこで、遊技者は左打ちを継続し、断続的に開成する大入賞装置１７への遊技球の入賞を狙う。なお、始動入賞口１９へ遊技球が入賞した場合、特別図柄表示部８３では第１特別図柄を変動／確定表示させる。
【００１６】
また、大当たり状態が終了すると、第１特別図柄及び第２特別図柄の合計の確定表示回数が所定回数に達するまで、入賞装置２０において可動体が頻繁に開状態となって遊技球の入賞を可能とする所謂時短状態が生起する。そこで、遊技者は、遊技球を右打ち用スペースＳＲへ打ち込んで流下させる所謂右打ちを行い、入賞装置２０への遊技球の入賞を狙う。そして、入賞装置２０へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、入賞装置２０への遊技球の入賞に応じて「大当たり図柄」が確定表示されると、上記同様に大入賞装置１７が所定回数にわたって断続的に開成する「大当たり状態」が生起するため、遊技者は右打ちを継続し、断続的に開成する大入賞装置１７への遊技球の入賞を狙う。なお、入賞装置２０へ遊技球が入賞した場合、特別図柄表示部８３では第２特別図柄を変動／確定表示させる。
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
【００１７】
（遊技球流路の説明）
ここで、本発明の要部となる遊技球流路３０について、図４〜図６にもとづき詳細に説明する。
図４は、遊技球流路３０を正面から示すとともに、遊技球流路３０における遊技球Ｐの流下態様を模式的に示した説明図である。図５は、遊技球流路３０の正面側を示した斜視説明図である。図６は、図４中のＬ−Ｌ線断面を示した説明図である。
【００１８】
遊技球流路３０は、センター部材２６の左上部（遊技球Ｐの遊技領域１６への進入位置近傍）からセンター部材２６の中央左部（遊技領域１６の中央左部）にかけて配設される部材であって、遊技球の流下方向（ここでは略上下方向）へ延びる平板状に成形された背板部３１の前面側が遊技球Ｐの流下空間となる。そして、該背板部３１の上部側が緩衝部３２として、中央から下部側にかけてが流路部３３として夫々機能するようになっている。また、背板部３１の右側縁沿いには、前側へ起立して、遊技球Ｐの演出用表示部６側への進入を防止するとともに、遊技球Ｐの流下方向を安定させるための側壁３４が設けられている。この側壁３４は、背板部３１と一体成形されており、側壁３４の基端部で、背板部３１内側となる表面は、基端側へ向かって徐々に側壁３４が肉厚となるような曲面３４Ａとされている。また、側壁３４の背板部３１外側の表面には、遊技球流路３０をセンター部材２６に固定するためのネジ止め部３５、３５が設けられている。さらに、側壁３４の下端部は、右側（遊技領域１６の内側）へ大きく膨出した後、略水平な平面（厳密には僅かに左下がりの平面）が左側へ延びる格好となっており、当該膨出部及び平面で囲まれた背板部３１上の空間が、流下してきた遊技球Ｐを一旦受け止める受け止め部５０として機能するようになっている。一方、背板部３１の左側縁部には、遊技球流路３０を遊技盤２の表面にネジ止めするための固定孔３６、３６・・が穿設されている。
【００１９】
緩衝部３２は、遊技領域１６内へ打ち込まれた遊技球Ｐがまず最初に衝突することで、その勢いを緩和させるためのものであって、背板部３１から前方へ突設された３つの緩衝体３７Ａ、３７Ｂ、３７Ｃを有する。３つの緩衝体３７Ａ、３７Ｂ、３７Ｃは全て、発射通路１３の先端よりも上方で、且つ、背板部３１の左寄りに位置しており、３つの緩衝体３７Ａ、３７Ｂ、３７Ｃと側壁３４との間には、遊技球Ｐが流下可能な上側流路３９が形成されている。また、第１の緩衝体３７Ａは発射通路１３の先端から最も離れた位置にあり、第３の緩衝体３７Ｃは発射通路１３の先端に最も近い位置にある。さらに、第２の緩衝体３７Ｂは、第１の緩衝体３７Ａと第３の緩衝体３７Ｃとの間（上下方向で間）に位置している。そして、第１の緩衝体３７Ａと第２の緩衝体３７Ｂとの間、第２の緩衝体３７Ｂと第３の緩衝体３７Ｃとの間、及び第３の緩衝体３７Ｃの下側で、後述する第１の長円柱体４０Ａとの間となる箇所には、遊技球Ｐが通過可能な隙間３８が夫々形成されている。したがって、遊技領域１６内へ打ち込まれた遊技球Ｐの多くは、３つの緩衝体３７Ａ、３７Ｂ、３７Ｃの何れかに衝突した後、隙間３８を介して上側流路３９や流路部３３側へ、すなわち遊技球流路３０内へ進入することになる。なお、３つの緩衝体３７Ａ、３７Ｂ、３７Ｃは、背板部３１と一体成形されている。
【００２０】
一方、流路部３３は、遊技球Ｐの流下態様に多様性をもたせつつ、且つ、ある程度は遊技球Ｐの流下方向を安定させるためのものであって、正面視長円状に形成された３つの長円柱体４０Ａ、４０Ｂ、４０Ｃ、正面視三角状に形成された三角柱体４１、及び複数の円柱体４２、４２・・を有する。これらの柱体のうち三角柱体４１を除く円柱体（長円柱体及び円柱体）は、背板部３１における左右方向での略中間部に、遊技球Ｐを流下させたい方向（略左下方向）に沿って断続的に並べられている。そして、その円柱列と側壁３４との間に遊技球Ｐが流下可能な第１下側流路４３が、円柱列と内レール２４との間に遊技球Ｐが流下可能な第２下側流路４４が夫々形成されている。また、円柱列において円柱体同士は、遊技球Ｐが通過可能な程度に離されている。したがって、流路部３３へ到達した遊技球Ｐは、円柱体同士の間を通って第１下側流路４３と第２下側流路４４とを行き来しつつも、円柱列に沿った方向へと流下することになる。なお、３つの長円柱体４０Ａ、４０Ｂ、４０Ｃ、三角柱体４１、及び円柱体４２は、背板部３１と一体成形されている。
【００２１】
また、第１の長円柱体４０Ａは、遊技球Ｐを流下させたい方向（ここでは左下方向）へ延びる長円とされており、第３の緩衝体３７Ｃの下側で、且つ、第３の緩衝体３７Ｃに最も近い位置に立設されている。したがって、第１の長円柱体４０Ａには、緩衝部３２から流路部３３へ流れ込んできた遊技球Ｐの多くが最初に衝突する。そして、第１の長円柱体４０Ａの長手方向での側面に衝突すると、遊技球Ｐの流下方向は長円が延びる方向へ安定することになる。
【００２２】
さらに、第２の長円柱体４０Ｂは、第１の長円柱体４０Ａに平行な方向（左下方向であって、当該箇所における遊技球Ｐを流下させたい方向となる）へ延びる長円とされており、第１の長円柱体４０Ａよりも下流側に立設されている。加えて、第３の長円柱体４０Ｃは、第２の長円柱体４０Ｂよりも更に下流側で、流路部３３の略下流端に立設されており、受け止め部５０側へ向かう方向（右下方向であって、当該箇所における遊技球Ｐを流下させたい方向となる）へ延びる長円とされている。そして、第１の長円柱体４０Ａ同様に、第２の長円柱体４０Ｂや第３の長円柱体４０Ｃの長手方向での側面に遊技球Ｐが衝突すると、長円が延びる方向へ遊技球Ｐの流下方向を安定させるようになっている。
【００２３】
加えて、円柱体４２は、第１の長円柱体４０Ａと第２の長円柱体４０Ｂとの間や、第２の長円柱体４０Ｂと第３の長円柱体４０Ｃとの間に、遊技球Ｐが通過可能な間隔を隔てつつ立設されている。そして、この円柱体４２によって、衝突した遊技球Ｐが種々の方向へ弾かれ、遊技球Ｐの流下態様に多様性が備わることになる。
【００２４】
なお、長円柱体４０Ａ〜４０Ｃ、及び円柱体４２の基端部の表面は、基端側へ向かって徐々に大径となるようなＲ面４５とされている。そして、このＲ面４５の半径は、遊技球Ｐの半径よりも小さくなっており（たとえば、遊技球Ｐの半径５．５ｍｍに対して、Ｒ面４５の半径は５．０ｍｍとする等）、図６に示すように、長円柱体４０Ａ〜４０Ｃや円柱体４２の周面と遊技球Ｐとを点接触で接触させる（すなわち、Ｒ面４５と遊技球Ｐの表面とが接触しない）ようになっている。
【００２５】
一方、三角柱体４１は、流路部３３の左側縁（流路部３３における遊技領域１６の内外方向で外側）において、第２の長円柱体４０Ｂの下流側で、且つ、第２の長円柱体４０Ｂに最も近い位置に立設されている。また、三角柱体４１は、その一角が第１下側流路４３側へ向かって第２下側流路４４内まで突出するような姿勢で設けられており（すなわち、三角柱体４１は、遊技領域１６についての内外方向で内側へ向かって突出する凸部を有している）、第２下側流路４４を流下してきた遊技球Ｐを第１下側流路４３側へ弾き、遊技球Ｐの流下方向を安定させるようになっている。
【００２６】
そして、上述した遊技球流路３０において、遊技球は以下のように流下する。
まず比較的強い発射強度で遊技領域１６へ打ち込まれた遊技球は、第１の緩衝体３７Ａに衝突し、第１の緩衝体３７Ａと第２の緩衝体３７Ｂとの間の隙間３８を通る等して上側流路３９内へ進入する。また、中程度の発射強度で遊技領域１６へ打ち込まれた遊技球は、第２の緩衝体３７Ｂに衝突し、第２の緩衝体３７Ｂと第３の緩衝体３７Ｃとの間の隙間３８を通る等して上側流路３９内へ進入する。そして、上側流路３９へ進入した遊技球の多くは、第１下側流路４３へ流入する。一方、比較的弱い発射強度で遊技領域１６へ打ち込まれた遊技球は、第３の緩衝体３７Ｃに衝突し、第３の緩衝体３７Ｃと第１の長円柱体４０Ａとの間の隙間３８を通って第１下側流路４３へ進入したり、隙間３８を通ることなく第２下側流路４４へ進入したりする。また、流路部３３を流下する遊技球は、第１下側流路４３と第２下側流路４４とを行き来しつつも、長円柱体４０Ａ、４０Ｂや側壁３４によって流下方向が安定する。さらに、第２下側流路４４を流下する遊技球の多くは、三角柱体４１によって第１下側流路４３へ誘導される。そして、最終的に、第３の長円柱体４０Ｃによって受け止め部５０へと流下し、その流下速度をかなり減速させた後、遊技球流路３０から左打ち用スペースＳＬへ排出される。
【００２７】
（本実施形態のパチンコ機による効果）
以上のような構成を有するパチンコ機１によれば、遊技球流路３０の背板部３１の表面に、複数の長円柱体４０Ａ〜４０Ｃや円柱体４２、４２・・を突設している。したがって、遊技球流路３０が合成樹脂製であるにも拘わらず、図４に示す如く遊技球Ｐの流下態様に多様性があり、遊技性が高い。
【００２８】
また、遊技球流路３０を、遊技球Ｐの遊技領域１６への進入位置近傍から遊技領域１６の中央左部にかけて設けるとともに、遊技球流路３０の上部に、遊技領域１６内へ進入した遊技球Ｐが最初に衝突すると想定される３つの緩衝体３７Ａ、３７Ｂ、３７Ｃを備えた緩衝部３２を設けている。さらに、緩衝部３２から連続して流路部３３を設けるとともに、流路部３３における第３の緩衝体３７Ｃの下側で、且つ、第３の緩衝体３７Ｃに最も近い位置に正面視が遊技球Ｐの流下方向へ延びる長円状とされた第１の長円柱体４０Ａを立設している。したがって、遊技球流路３０を設置するだけで緩衝体３７Ａ〜３７Ｃについても設置することができ、遊技機の組み立て作業が容易となるし、第１の長円柱体４０Ａによって、遊技球Ｐの流下態様の多様性を保ちつつ、遊技球Ｐの流下方向をある程度安定させることができるという効果を奏することができる。
【００２９】
さらに、流路部３３における遊技領域１６についての内外方向で外側で、且つ、第１の長円柱体４０Ａよりも下流側にある第２の長円柱体４０Ｂの更に下流側となる位置に、その一角が第１下側流路４３側へ向かって第２下側流路４４内まで突出するような姿勢とされた三角柱体４１が立設されている。つまり、第２下側流路４４を流下してきた遊技球Ｐは、第１下側流路４３側へ弾かれる。したがって、遊技球Ｐの多くが第１下側流路４３を流下するような構造とすることができ、ひいては遊技球Ｐの流下方向を一層安定させることができる。
【００３０】
加えて、長円柱体４０Ａ〜４０Ｃ、及び円柱体４２の基端部の表面を、基端側へ向かって徐々に大径となるようなＲ面４５とするともに、Ｒ面４５の半径を、遊技球Ｐの半径よりも小さくしている。したがって、長円柱体４０Ａ〜４０Ｃ、及び円柱体４２の基端部は、基端側へ向かって徐々に太くなるため、長円柱体４０Ａ〜４０Ｃや円柱体４２の強度を向上することができ、長円柱体４０Ａ〜４０Ｃや円柱体４２が折れにくい上、長円柱体４０Ａ〜４０Ｃや円柱体４２の周面と遊技球Ｐとが点接触で接触することになり、遊技球のスムーズな流下を期待できるし、汚れが付着しにくい構造とすることもできる。なお、背板部３１の右側縁に沿って立設されている側壁３４の基端部で、背板部３１内側となる表面についても、基端側へ向かって徐々に側壁３４が肉厚となるような曲面３４Ａとしているため、同様に強度の向上を図ることができる。
【００３１】
（本発明の変更例について）
なお、本発明の遊技機に係る構成は、上記実施形態に何ら限定されるものではなく、遊技機全体の構成は勿論、遊技球流路等に係る構成についても、本発明の趣旨を逸脱しない範囲で必要に応じて適宜変更可能である。
【００３２】
たとえば上記実施形態では、遊技球流路に緩衝部を設けているが、緩衝部については遊技球流路と別体としても何ら問題はなく、遊技球流路は、背板部、円柱体、及び長円柱体さえ備えていればよい。
また、上記実施形態では、遊技球流路をセンター部材に固定するとしているが、センター部材とは別の箇所へ固定するように構成してもよいし、センター部材と一体的に設けることも可能である。
【００３３】
さらに、遊技球流路の設置位置についても適宜変更可能であって、センター部材の右側に遊技球通路を設けてもよいし、センター部材そのものに所謂ワープ通路として設けたり、センター部材の内部に入賞口等がある場合には、当該入賞口へ至る遊技球通路に本発明に係る遊技球流路を採用してもよい。加えて、遊技領域の様々な箇所に、複数の遊技球流路を設けても何ら問題はない。
さらにまた、円柱体、長円柱体、及び三角柱体を、背板部のどの位置にどのような順で設けるかについては、言うまでもなく設計変更可能である。
またさらに、円柱体や長円柱体、側壁の基端部の表面に上記実施形態の如きＲ面や曲面を設けないとしても何ら問題はない。
【００３４】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技球、遊技領域、遊技球流路、背板部、凸部、柱体等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３５】
１・・パチンコ機（遊技機）、１６・・遊技領域、３０・・遊技球流路、３１・・背板部、３２・・緩衝部、３３・・流路部、３４・・側壁、３４Ａ・・曲面、３７Ｃ・・第３の緩衝体（特定緩衝体）、４０Ａ・・第１の長円柱体（特定長円柱体）、４１・・三角柱体（凸部、柱体）、４２・・円柱体、４５・・Ｒ面、５０・・受け止め部。
【図１】
2018061773.tif 000003
【図２】
2018061773.tif 000004
【図３】
2018061773.tif 000005
【図４】
2018061773.tif 000006
【図５】
2018061773.tif 000007
【図６】
2018061773.tif 000008